(57)【要約】【課題】  開示する飲料容器は、貰った人を喜ばせる視覚的訴求力の強い装飾が施されると共に、視覚以外の今までにはない感触を楽しむことができる。【解決手段】  開示する飲料容器は、側面上に、弾力を備える部材で形成した立体造形物を設置することを特徴とする。前記立体造形物が、当該飲料容器の側面に据え付けられたラベル上に配置されていても良い。前記弾力を備える部材が、シリコン製、又は、ポリウレタン製であっても良い。前記立体造形物が、人の唇をかたどったもの、又は、動物の肉球をかたどったものであっても良い。酒を詰める容器であっても良い。【選択図】図２
0003202610.tif 000002
【実用新案登録請求の範囲】
【請求項１】
側面上に、弾力を備える部材で形成した立体造形物を設置することを特徴とする飲料容器。
【請求項２】
前記立体造形物が、当該飲料容器の側面に据え付けられたラベル上に配置されることを特徴とする請求項１に記載の飲料容器。
【請求項３】
前記弾力を備える部材が、シリコン製、又は、ポリウレタン製であることを特徴とする請求項１又は２に記載の飲料容器。
【請求項４】
前記立体造形物が、人の唇をかたどったもの、又は、動物の肉球をかたどったものであることを特徴とする請求項１乃至３の何れか一に記載の飲料容器。
【請求項５】
酒を詰める容器であることを特徴とする請求項１乃至４の何れか一に記載の飲料容器。
【考案の詳細な説明】
【技術分野】
【０００１】
本考案は、酒等の飲料を充てんした容器の側面（外周）に装飾を施す技術に関する。
【背景技術】
【０００２】
どんな人でも、何かの記念にプレゼントを貰うと、嬉しいと感じる。一方、プレゼントを贈った方も、プレゼントを貰ってくれた人が喜んでくれると、嬉しいと感じるものである。このように、プレゼントを贈るという行為は、人間関係を円滑にしてくれるものである。
【０００３】
さらに、上記のプレゼントに装飾を施せば、その装飾が人の美的感覚に訴えることで、プレゼントを貰った人の「嬉しい」という感情を増幅させることが一般に良く知られている。
【０００４】
そうした中、プレゼントとして酒類などボトル状のものを贈る場合を想定し、当該ボトルに装飾を施す技術について種々の提案がなされている。例えば、特許文献１乃至特許文献３では、ボトルに彫刻や成型などで、文字や柄などの凹凸を施し、さらに、該凹部にブラックライトに反応して発光する塗料を使用して、ボトルに装飾を施す技術が提案されている。
【０００５】
他方、特許文献以外であっても、上記ボトルへの装飾として、ボトル表面へカラー画像を直接印刷したもの、カラー画像を印刷した紙媒体をボトル表面に貼付したものが見受けられる。
【先行技術文献】
【特許文献】
【０００６】
【特許文献１】実用新案登録第３１２７２６７号公報
【特許文献２】実開平０５−０６５８４２号公報
【特許文献３】特開平２００５−１３８９０６号公報
【考案の概要】
【考案が解決しようとする課題】
【０００７】
しかしながら上記技術では、装飾部位が平面的であるため、消費者への視覚的訴求力が弱いという問題点があった。
そこで本考案では、上記問題点に鑑み、貰った人を喜ばせる視覚的訴求力の強い装飾が施されると共に、視覚以外の今までにはない感触を楽しむことができる飲料容器を提供することを目的とする。
【課題を解決するための手段】
【０００８】
開示する飲料容器の一形態は、側面上に、弾力を備える部材で形成した立体造形物を設置することを特徴とする。
開示する飲料容器の一形態は、上記構成に加え、前記立体造形物が、当該飲料容器の側面に据え付けられたラベル上に配置されることを特徴とする。
開示する飲料容器の一形態は、上記構成に加え、前記弾力を備える部材が、シリコン製、又は、ポリウレタン製であることを特徴とする。
開示する飲料容器の一形態は、上記構成に加え、前記立体造形物が、人の唇をかたどったもの、又は、動物の肉球をかたどったものであることを特徴とする。
開示する飲料容器の一形態は、上記構成に加え、酒を詰める容器であることを特徴とする。
【考案の効果】
【０００９】
開示する飲料容器は、貰った人を喜ばせる視覚的訴求力の強い装飾が施されると共に、視覚以外の今までにはない感触を楽しむことができる。
【図面の簡単な説明】
【００１０】
【図１】本実施の形態に係る飲料容器（第１実施例）の正面図である。
【図２】本実施の形態に係る飲料容器（第１実施例）の平面図である。
【図３】本実施の形態に係る飲料容器（第２実施例）の正面図である。
【図４】本実施の形態に係る飲料容器（第２実施例）の平面図である。
【考案を実施するための形態】
【００１１】
図面を参照しながら、本考案を実施するための形態について説明する。
（本実施の形態に係る飲料容器の構造）
【００１２】
図１乃至４を用いて、本実施の形態に係る飲料容器１の構造について説明する。図１及び３は、それぞれ飲料容器１の一例の正面図であり、図２及び４はそれらを上方から見た平面図である。
図１、３で示すように、飲料容器１は、飲料を詰める容器であり、内容物は酒であってもその他の飲料であっても良く、その種類を限定しない。
【００１３】
飲料容器１は、立体造形物２、ラベル１０を有する。ラベル１０は、飲料容器１の側面（外周）に据え付けられる（貼り付けられる）、商標・品名・分類記号・宛先などを表示するための紙片である。
【００１４】
立体造形物２は、飲料容器１の側面（外周）上に設置される立体的な造形物である。また、立体造形物２は、図１及び２で示すように、飲料容器１の側面上に直に設置される形態であっても良く、図３及び４で示すように、飲料容器１の側面上に据え付けられたラベル１０上に設置される形態であっても良い。
【００１５】
立体造形物２は、弾力性を備える部材４で形成され、弾力性を備える部材４とは、例えば、シリコン６やポリウレタン８等である。立体構造物２が弾力性を備える部材４で形成されることによって、飲料容器１に接する者に対し、手で触れたときに柔らかい感触を生じさせると共に、ふわっとした形態で軟らかい印象を視覚的に与えることができる。
立体造形物２は、外形状を特に限定しないが、例えば、人の唇をかたどったもの（図１参照）や動物の肉球をかたどったもの（図３参照）であっても良い。
（飲料容器１の使用方法）
【００１６】
ここでは、飲料容器１の使用方法について説明する。飲料容器１は、当初販売時と変わらぬ品質（内容物は風味）を保っているため、飲料容器１をプレゼントされた人は、通常の開栓方法に従って開栓し、充填されている飲料を飲むことができる。また、空の飲料容器１は、装飾品としても使用することができる。
一方、飲料容器１は、当初販売時と変わらぬ品質を保っているため、開栓せずに、記念品（置き物）として長期保管しても、何ら問題は生じない。
【００１７】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００１８】
１    飲料容器
２    立体造形物
４    弾力を備える部材
６    シリコン
８    ポリウレタン
１０  ラベル
【図１】
0003202610.tif 000003
【図２】
0003202610.tif 000004
【図３】
0003202610.tif 000005
【図４】
0003202610.tif 000006